(57)【要約】【課題】撮像装置の組立が完了した状態でも高精度でミラーの角度を調整することができる仕組みを提供する。【解決手段】撮像装置は、回動操作されることで、位置決め部１０１にミラーユニット３Ｂが当接する位置を調整する調整部材１００を備える。調整部材１００には、第１の調整工具２０１と係合可能な第１の係合部１００ａおよび第２の調整工具２０２と係合可能な第２の係合部１００ｂが形成される。調整部材１００の回動軸１００ｃから第２の係合部１００ｂまでの距離Ｌ２は、第１の係合部１００ａまでの距離Ｌ１より長く、第２の係合部１００ｂは、装置本体の底面から第２の調整工具２０２を係合させることができるように形成される。【選択図】図７
2013221981.tif 000002
【特許請求の範囲】
【請求項１】
ミラーボックスと、
前記ミラーボックスに回動可能に支持され、ファインダ観察時に撮影光路に進入し、撮影時に前記撮影光路から退避するミラーユニットと、
前記撮影光路に進入した前記ミラーユニットが当接して、前記ミラーユニットを位置決めする位置決め部を有し、前記ミラーボックスに回動可能に支持される調整部材とを備える撮像装置であって、
前記撮像装置は、前記調整部材を回動させることで、前記ミラーユニットと前記位置決め部とが当接する位置を調整することができ、
前記調整部材には、第１の調整工具と係合可能な第１の係合部および第２の調整工具と係合可能な第２の係合部が形成され、
前記第２の係合部は、前記調整部材の回動中心から前記第２の係合部までの距離が前記調整部材の回動中心から前記第１の係合部までの距離より長くなる位置であって、かつ前記撮像装置の底面から前記第２の調整工具を係合させることができるように形成されることを特徴とする撮像装置。
【請求項２】
前記第２の係合部は、前記調整部材の先端を前記撮像装置の底面に沿って折り曲げた部分に形成されることを特徴とする請求項１に記載の撮像装置。
【請求項３】
前記第１の係合部は、前記位置決め部に当接する前記ミラーユニットの面方向に長い長穴形状に形成され、
前記第２の係合部は、前記ミラーユニットの回動中心となる軸方向に長い長穴形状に形成されることを特徴とする請求項１または２に記載の撮像装置。
【請求項４】
前記調整部材には、前記調整部材の回動を妨げる摩擦力を発生させる摩擦力発生手段が設けられ、
前記摩擦力発生手段は、前記調整部材の回動中心から前記摩擦力発生手段までの距離が前記調整部材の回動中心から前記第１の係合部までの距離より長く、前記調整部材の回動中心から前記第２の係合部までの距離より短くなる位置に設けられることを特徴とする請求項１ないし３のいずれか１項に記載の撮像装置。
【発明の詳細な説明】
【技術分野】
【０００１】
本発明は、ミラー機構を備える一眼レフカメラ等の撮像装置に関する。
【背景技術】
【０００２】
一眼レフカメラ等の撮像装置に搭載されたクイックリターンミラー機構では、ミラーユニットを撮像光学系からの光路（撮像光路）の内外に高速で回動させる。撮像光路内では、ミラーユニットがミラーボックスに設けられた位置決め部材に当接することで、ミラーが所定の停止位置に高精度で位置決めされ、ミラーで反射した光がファインダ光学系や焦点検出ユニットに導かれる。
【０００３】
このようなクイックリターンミラー機構においては、ミラーボックスに、ミラーユニット、位置決め部材、ファインダ光学系、及び焦点検出ユニット等を固定して、ミラーボックスユニットとする場合が多い。これは、ミラーボックスを高精度及び高強度で構成することにより、各ユニット間の光路の精度を保つ為である。
【０００４】
また、ミラーユニットが回動して位置決め部材に当接した際のミラーユニットのバウンドを抑制するバウンド抑制部材と、ミラーユニットの停止位置を調整する調整部材とを有する撮像装置が提案されている（特許文献１）。この提案では、調整部材により、位置決め部材とバウンド抑制部材とをミラーユニットの回動軸回りで互いに同一角度回動させることで、ミラーの角度調整を行っても、バウンド抑制時間のばらつきを少なくし、高いバウンド抑制効果を得ることができるとしている。
【先行技術文献】
【特許文献】
【０００５】
【特許文献１】特開２００８−２８７１１０号公報
【発明の概要】
【発明が解決しようとする課題】
【０００６】
しかし、上記特許文献１では、ミラーボックスユニットの状態でしかミラーの角度調整が行えない。例えば、ミラーボックスユニットにシャッターユニットや外装ユニットを取り付けた際に、ミラーボックスに歪みが発生してミラーの角度が変化してしまった場合には、ミラーボックスユニットの状態に戻さないと、ミラーの角度を再調整することができない。
【０００７】
そこで、本発明は、撮像装置の組立が完了した状態でもミラーボックスユニットの状態に戻すことなく、ミラーの角度を調整することができる仕組みを提供することを目的とする。
【課題を解決するための手段】
【０００８】
上記目的を達成するために、本発明は、ミラーボックスと、前記ミラーボックスに回動可能に支持され、ファインダ観察時に撮影光路に進入し、撮影時に前記撮影光路から退避するミラーユニットと、前記撮影光路に進入した前記ミラーユニットが当接して、前記ミラーユニットを位置決めする位置決め部を有し、前記ミラーボックスに回動可能に支持される調整部材とを備える撮像装置であって、前記撮像装置は、前記調整部材を回動させることで、前記ミラーユニットと前記位置決め部材とが当接する位置を調整することができ、前記調整部材には、第１の調整工具と係合可能な第１の係合部および第２の調整工具と係合可能な第２の係合部が形成され、前記第２の係合部は、前記調整部材の回動中心から前記第２の係合部までの距離が前記調整部材の回動中心から前記第１の係合部までの距離より長くなる位置であって、かつ前記撮像装置の底面から前記第２の調整工具を係合させることができるように形成されることを特徴とする。
【発明の効果】
【０００９】
本発明によれば、撮像装置の組立が完了した状態でもミラーボックスユニットの状態に戻すことなく、ミラーの角度を調整することができる。
【図面の簡単な説明】
【００１０】
【図１】本発明の撮像装置の実施形態の一例であるデジタル一眼レフカメラの概略断面図である。
【図２】図１に示すデジタル一眼レフカメラのクイックリターンミラー機構がミラーアップした状態を示す概略断面図である。
【図３】図１に示すデジタル一眼レフカメラのレンズ鏡筒を取り外した状態を正面側（被写体側）から見た図である。
【図４】クイックリターンミラー機構を構成するメインミラーユニットとサブミラーユニットの斜視図である。
【図５】ミラーボックスに調整部材が回動可能に支持された状態を示す斜視図である。
【図６】角度調整部材とミラー機構との関係を示す斜視図である。
【図７】（ａ）は調整部材が中立位置にある状態を示す図、（ｂ）は角度調整部材が回動軸を中心に図の時計回り方向に回動した状態を示す図、（ｃ）は角度調整部材が回動軸を中心に図の反時計回り方向に回動した状態を示す図である。
【図８】調整部材の回動操作例を説明するための斜視図である。
【図９】ミラーボックスに固定ねじを用いて調整部材を固定した状態をカメラの底面側から見た図である。
【発明を実施するための形態】
【００１１】
以下、本発明の実施形態の一例を図面を参照して説明する。
【００１２】
図１は本発明の撮像装置の実施形態の一例であるデジタル一眼レフカメラの概略断面図、図２は図１に示すデジタル一眼レフカメラのクイックリターンミラー機構がミラーアップした状態を示す概略断面図である。図３は図１に示すデジタル一眼レフカメラのレンズ鏡筒を取り外した状態を正面側（被写体側）から見た図、図４はクイックリターンミラー機構を構成するメインミラーユニットとサブミラーユニットの斜視図である。
【００１３】
本実施形態のデジタル一眼レフカメラは、図１〜図３に示すように、カメラ本体１の内部に、クイックリターンミラー機構（以下、ミラー機構という。）３を収納するミラーボックス４が設けられる。ミラーボックス４の被写体側の端部には、マウント部３０が固定され、マウント部３０には、レンズ鏡筒２が着脱可能に装着される。
【００１４】
また、カメラ本体１のミラーボックス４の背面側（像面側）には、シャッタ幕６及びＣＣＤセンサやＣＭＯＳセンサ等の撮像素子７が設けられ、撮像素子７の背面側には、ミラー機構３の駆動を制御する制御装置８が設けられる。
【００１５】
ミラー機構３は、図４に示すように、ハーフミラーからなるメインミラーを保持するメインミラーユニット３Ａと、サブミラーを保持してメインミラーユニット３Ａに対して回動可能に支持されるサブミラーユニット３Ｂとを有する。
【００１６】
ミラー機構３は、ファインダ観察時（レリーズボタンの半押し時）に、図１に示すように、撮影光路内に進入（ミラーダウン）し、撮影時（レリーズボタン全押し時）には、図２に示すように、撮影光路から退避（ミラーアップ）する。
【００１７】
そして、ミラーダウン状態では、レンズ鏡筒２の撮影光学系を通って撮影光路に進入した被写体光は、メインミラーユニット３Ａのメインミラーで上方に反射する光とメインミラーを透過する光とに分かれる。
【００１８】
メインミラーで上方に反射した光は、ファインダ光学系５へと導かれ、メインミラーを透過した光は、サブミラーユニット３Ｂのサブミラーで下方に反射して焦点検出装置としてのＴＴＬ位相差ＡＦユニット９に進入する。
【００１９】
一方、ミラーアップ状態では、シャッタ幕６が開かれ、レンズ鏡筒２の撮影光学系を通って撮影光路に進入した被写体光は、撮像素子７に導かれて光電変換される。
【００２０】
メインミラーユニット３Ａの端部には、回動軸３ａが一体に設けられており、ミラーボックス４に回動軸３ａが嵌合されることにより、メインミラーユニット３Ａがミラーボックス４に対してミラーダウン位置とミラーアップ位置との間で回動可能に支持される。
【００２１】
サブミラーユニット３Ｂは、ミラーダウン状態のメインミラーユニット３Ａの背面側（像面側）に回動軸３ｂを介して回動可能に支持される。サブミラーユニット３Ｂは、不図示のトーションばね等によりメインミラーユニット３Ａに対して開く方向（図２の反時計回り方向）に付勢された状態で後述する位置決め部１０１に当接して、メインミラーユニット３Ａに対して所定の角度で位置決めされる。
【００２２】
サブミラーユニット３Ｂが位置決め部１０１に当接した状態では、位置決め部１０１が形成された調整部材１００を回動させることで、サブミラーユニット３Ｂが回動軸３ｂを中心として微小回転する。これにより、ミラーダウン状態でのメインミラーユニット３Ａに対するサブミラーユニット３Ｂの角度調整を行うことができる。
【００２３】
図５はミラーボックス４に調整部材１００が回動可能に支持された状態を示す斜視図、図６は調整部材１００とミラー機構３との関係を示す斜視図である。
【００２４】
図５に示すように、調整部材１００は、ミラーボックス４に回動軸１００ｃを介して回動可能に支持される。調整部材１００には、位置決め部１０１が一体的に形成されている。また、調整部材１００には、図６に示すように、第１の係合穴１００ａ及び第２の係合穴１００ｂが形成されている。
【００２５】
第１の係合穴１００ａは、位置決め部１０１に当接しているサブミラーユニット３Ｂの面方向に長い長穴形状に形成される。第２の係合穴１００ｂは、調整部材１００の先端をカメラ本体１の底面に沿って折り曲げた折り曲げた部分に形成されている。第２の係合穴１００ｂは、サブミラーユニット３Ｂの回動軸３ｂの軸線方向に長い長穴形状に形成されている。すなわち、第２の係合穴１００ｂは、サブミラーユニット３Ｂの回動中心となる軸方向に長い長穴形状に形成される。調整穴１００ａの軸線及び係合穴１００ｂの軸線は、互いに交差するように配置され、本実施形態では、直交するように配置されている。ここで、第１の係合穴１００ａは、第１の調整工具と係合可能な第１の係合部の一例に相当し、第２の係合穴１００ｂは、第２の調整工具と係合可能な第２の係合部の一例に相当する。
【００２６】
図７は、調整部材１００によるメインミラーユニット３Ａに対するサブミラーユニット３Ｂの角度調整例を説明するための図である。
【００２７】
図７（ａ）は、調整部材１００が中立位置にある状態を示す図である。図７（ｂ）は調整部材１００が回動軸１００ｃを中心に図の時計回り方向に回動させた状態を示す図、図７（ｃ）は調整部材１００が回動軸１００ｃを中心に図の反時計回り方向に回動させた状態を示す図である。
【００２８】
サブミラーユニット３Ｂは、調整部材１００に形成される位置決め部１０１と当接することで、メインミラーユニット３Ａに対する角度が決まる。この為、調整部材１００を回動させることで、サブミラーユニット３Ｂが位置決め部１０１と当接したときの角度を調整することができる。
【００２９】
図８は、調整部材１００による角度調整作業の例を説明するための斜視図である。なお、図８では、説明の便宜上、ミラーボックス４の図示は省略している。
【００３０】
調整部材１００を回動させるには、調整部材１００の第１の係合穴１００ａに第１の調整工具２０１の先端部を係合させた後、第１の調整工具２０１を回転させる。または、調整部材１００の第２の係合穴１００ｂに第２の調整工具２０２の先端部を係合させた後、第２の調整工具２９０２を回転させる。
【００３１】
この場合、ミラーボックス４又は調整部材１００に、第１の調整工具２０１および第２の調整工具２０２を回転可能に支持する支持形状を形成してもよい。第１の調整工具２０１の先端部には、中心軸２０１ｂと、中心軸２０１ｂに対して偏心配置される偏心軸２０１ａとが形成される。偏心軸２０１ａは、調整穴１００ａの幅寸法と略同一の外径を有して、第１の係合穴１００ａに回転可能に係合される。中心軸２０１ｂは、ミラーボックス４に形成された不図示の穴に回転可能に係合される。
【００３２】
第２の調整工具２０２の先端部にも、同様に、中心軸２０２ｂと、中心軸２０２ｂに対して偏心配置される偏心軸２０２ａとが形成される。偏心軸２０２ａは、第２の係合穴１００ｂの幅寸法と略同一の外径を有して、調整穴１００ｂに回転可能に係合される。中心軸２０２ｂは、ミラーボックス４に形成された不図示の穴に回転可能に係合される。なお、中心軸２０１ｂ，２０２ｂが回転可能に係合される穴は、調整部材１００に形成してもよい。
【００３３】
そして、図７（ａ）の状態で、第１の係合穴１００ａに第１の調整工具２０１の偏心軸２０１ａを係合させるとともに、中心軸２０１ｂをミラーボックス４の穴に係合させ、第１の調整工具２０１を中心軸２０１ｂを中心に反時計回り方向に約９０°回転させる。これにより、調整部材１００は、図７（ｂ）に示すように、回動軸１００ｃを中心に時計回り方向に回動する。
【００３４】
また、図７（ａ）の状態で、第１の調整工具２０１を中心軸２０１ｂを中心に時計回り方向に約９０°回転させると、調整部材１００は、図７（ｃ）に示すように、回動軸１００ｃを中心に反時計回り方向に回動する。
【００３５】
このように、第１の係合穴１００ａに偏心軸２０１ａを係合させた第１の調整工具２０１を回転させることで、調整部材１００は、回動軸１００ｃを中心に回動する。そして、回動した調整部材１００と一体的に形成される位置決め部１０１にサブミラーユニット３Ｂが当接しているので、サブミラーユニット３Ｂの角度が調整される。
【００３６】
同様に、第２の係合穴１００ａに偏心軸２０２ａを係合させた第２の調整工具２０２を回転させることでも、サブミラーユニット３Ｂの角度が調整される。
【００３７】
ここで、図７（ａ）を参照して、調整部材１００の回動軸１００ｃと第２の係合穴１００ｂとの距離Ｌ２は、回動軸１００ｃと第１の係合穴１００ａとの距離Ｌ１に比べて長くなっている。
【００３８】
従って、調整部材１００は、第１の調整工具２０１の回転量により、回動軸１００ｃを中心に回動する量の割合が、第２の調整工具２０２の回転量により、回動軸１００ｃを中心に回動する量の割合よりも大きくなる。
【００３９】
このため、第２の係合穴１００ｂに第２の調整工具２０２を係合させて調整部材１００を回動させる場合の方が、第１の係合穴１００ａに第１の調整工具２０１を係合させて調整部材１００を回動させる場合に比べて、より細かくサブミラーユニット３Ｂの角度調整を行うことが可能となる。
【００４０】
前述したサブミラーユニット３Ｂの角度調整は、ミラーボックス４にミラー機構３及び調整部材１００を組み付けてユニット化した状態で行われ、角度調整後、調整部材１００を半固定ねじ１０２を用いてミラーボックス４に半固定する。調整部材１００には、半固定ねじ１０２が挿通される挿通穴１００ｄが形成される。挿通穴１００ｄは半固定ねじ１０２のねじ部の直径よりも十分大きな直径を有する、いわゆるバカ穴となっている。
【００４１】
図９は、ミラーボックス４に半固定ねじ１０２を用いて調整部材１００を半固定した状態を底面側から見た図である。なお、図９では、説明の便宜上、ミラーボックス４の図示は省略している。
【００４２】
図９に示すように、調整部材１００とミラーボックス４との間には、波形座金１０２ａが配置される。これにより、半固定ねじ１０２を締め込むことで、波形座金１０２ａが圧縮され、調整部材１００とミラーボックス４との間に、調整部材１００の回転を妨げる摩擦力を発生させる。調整部材１００に形成される挿通穴１００ｄの直径が半固定ねじ１０２のねじ部の直径よりも十分大きいので、波形座金１０２ａが圧縮されることで発生する摩擦力より大きな回動力を調整部材１００に与えると調整部材１００は回動軸１００ｃを中心に回動する。つまり、半固定ねじ１０２を締め込むことで、調整部材１００は半固定されることとなる。
【００４３】
角度調整部材１００の回動軸１００ｃから半固定ねじ１０２および波形座金１０２ａまでの距離Ｌ３は、回動軸１００ｃと第１の係合調整穴１００ａとの距離Ｌ１より長く、角度調整部材１００の回動軸１００ｃと第２の係合調整穴１００ｂとの距離Ｌ２より短い。ここで、半固定ねじ１０２および波形座金１０２ａは、本発明の摩擦力発生手段の一例に相当する。
【００４４】
調整部材１００が半固定された状態では、第２の係合穴１００ｂに第２の調整工具２０２を係合させて、第２の調整工具２０２を回転させると、波形座金１０２ａが圧縮されることで発生する摩擦力に抗して調整部材１００が回動する。しかし、調整部材１００が半固定された状態では、サブミラーユニット３Ｂがミラーダウン動作をして位置決め部１０１に当接しても、調整部材１００が回動しない。
【００４５】
すなわち、波形座金１０２ａが圧縮されることで発生する摩擦力は、サブミラーユニット３Ｂがミラーダウン動作をした際に、調整部材１００を回動させる力よりも大きく設定され、第２の調整工具２０２の回転によって調整部材１００を回動させる力よりも小さく設定されている。
【００４６】
ところで、サブミラーユニット３Ｂの角度調整後、ミラー機構３や調整部材１００が組み付けられたミラーボックス４には、ファインダ光学系５やＴＴＬ位相差ＡＦユニット９、外装カバー等の部品が組み付けられてカメラ本体１が完成する。この場合、ファインダ光学系５には、比較的重量の大きい光学ガラス部品が含まれ、ミラーボックス４は、その重量を常に支えている。また、例えば加工精度が比較的低い外装カバーがミラーボックス４に取り付けられる事で、ミラーボックス４に歪が発生する可能性がある。
【００４７】
このため、カメラ本体１の組立が完了する前に、調整部材１００を回動操作してサブミラーユニット３Ｂの角度を調整しても、カメラ本体１の組立完了後に、サブミラーユニット３Ｂの角度が変動する可能性がある。
【００４８】
そこで、本実施形態では、第１の係合穴１００ａよりも調整部材１００の回動軸１００ｃからの離れた位置に形成される第２の係合穴１００ｂを、カメラ本体１の底面から第２の調整工具２０２を係合させることが可能な位置に形成している。
【００４９】
これにより、カメラ本体１の組立完了後に、第２の調整工具２０２を第２の係合穴に係合させて、カメラ本体１の底面側から調整部材１００を回動させることができる。
【００５０】
以上説明したように、本実施形態では、カメラ本体１の組立が完了した状態でも、カメラ本体１の底面側から調整部材１００を回動させることができるので、ミラーの角度を高精度に調整することができる。
【００５１】
なお、本発明の構成は、上記実施形態に例示したものに限定されるものではなく、材質、形状、寸法、形態、数、配置箇所等は、本発明の要旨を逸脱しない範囲において適宜変更可能である。
【００５２】
例えば、上記実施形態では、サブミラーユニット３Ｂの角度調整を例示したが、メインミラーユニット３Ａの角度を調整する場合であってもよい。
【符号の説明】
【００５３】
１  カメラ本体
３  ミラー機構
３Ｂ  サブミラーユニット
４  ミラーボックス
１００  調整部材
１００ａ  第１の係合穴
１００ｂ  第２の係合穴
１０１  位置決め部
１０２  半固定ねじ
１０２ａ  波形座金
２０１  第１の調整工具
２０２  第２の調整工具
【図１】
2013221981.tif 000003
【図２】
2013221981.tif 000004
【図３】
2013221981.tif 000005
【図４】
2013221981.tif 000006
【図５】
2013221981.tif 000007
【図６】
2013221981.tif 000008
【図７】
2013221981.tif 000009
【図８】
2013221981.tif 000010
【図９】
2013221981.tif 000011